(57)【要約】【課題】  駆動ピニオンとダブルラックとの噛合状態を整合させること。【解決手段】  メインラック１１Ａの各係止ピン１１ａを光ピックアップ３のキャリッジ３Ａの各係止孔９に嵌入させると共に、ねじ孔１０にビス１２をねじ込むことにより、メインラック１１Ａがキャリッジ３Ａに止着され、該メインラック１１Ａとサブラック１１Ｂとからなるダブルラック１１が駆動ピニオン１８に噛合され、メインラック１１Ａの縦補強板１１ｃにスリット２６と凹部２７を形成することにより、そのスリット２６と凹部２７との間で両端を縦補強板１１ｃに一体形成した細幅のばね板２８が形成されており、ビス１２の頭部１２ａをばね板２８の側面に当接させることにより、該ばね板２８を弾性変位させ、その弾性変位により生じた付勢力Ｆでダブルラック１１を駆動ピニオン１８側に付勢する。【選択図】        図２
2007200397.tif 000002
【特許請求の範囲】
【請求項１】
光ピックアップを搭載したトラバースシャーシの後部がローダーシャーシに上下動可能
に連結されると共に、該トラバースシャーシの前部が前後進方向とは直交する左右方向に
沿ってスライド可能なカムスライダに係合され、前記光ピックアップが、トラバースシャ
ーシ上に前後進可能に配置したキャリッジと、該キャリッジに固定したピックアップ本体
とを備え、前記キャリッジの一側部に一対の係止孔が前後進方向に沿って所定間隔をおい
て貫設されると共に、該一側部の両係止孔間のほぼ中央にねじ孔が貫設され、前記各係止
孔に対向して該各係止孔の内径よりも外径を小さく設定した一対の係止ピンがメインラッ
クに一体突設されると共に、前記ねじ孔に対向する連通孔がメインラックに貫設され、前
記各係止ピンを各係止孔に嵌入させると共に、前記連通孔を通ってねじ孔にビスをねじ込
むことにより、メインラックがキャリッジに止着され、該メインラックに前後進方向一定
範囲内移動可能に連結されてばねにより前進方向に付勢されるサブラックが設けられ、前
記メインラック及びサブラックからなるダブルラックがフィードモータにより正逆回転さ
れる駆動ピニオンに噛合され、前記サブラックの前端に突設した操作ピンに対向して前記
カムスライダに操作溝が形成されており、アンローディング信号に基づいてフィードモー
タを駆動することにより、駆動ピニオンを正転させてダブルラックを介して光ピックアッ
プを前進させ、その光ピックアップが最前進位置に達した後にサブラックをさらに前進さ
せて、操作ピンを操作溝の内側面に押し付け、その押付力でカムスライダを左右一方向に
スライドさせることによりトラバースシャーシを下動させるようにしたディスク装置にお
いて、前記メインラックに一体突設した前後進方向に沿う縦補強板のビス対向部分の一側
縁とメインラックとの間にスリットを形成すると共に、そのビス対向部分の他側縁と縦補
強板との間に凹部を形成することにより、前記スリットと凹部との間で両端を縦補強板に
一体形成した細幅のばね板が形成され、そのばね板の凹部側の側縁に、ビス側に向かって
接近するように傾斜する傾斜面が形成されており、前記ビスの頭部を傾斜面上を通ってば
ね板の側面に当接させることにより、該ばね板を弾性変位させ、その弾性変位により生じ
た付勢力でダブルラックを駆動ピニオン側に付勢するようにしたことを特徴とするディス
ク装置。
【請求項２】
光ピックアップを搭載したトラバースシャーシの後部がローダーシャーシに上下動可能
に連結されると共に、該トラバースシャーシの前部が前後進方向とは直交する左右方向に
沿ってスライド可能なカムスライダに係合され、前記光ピックアップが、トラバースシャ
ーシ上に前後進可能に配置したキャリッジと、該キャリッジに固定したピックアップ本体
とを備え、前記キャリッジの一側部に一対の係止孔が前後進方向に沿って所定間隔をおい
て貫設されると共に、該一側部の両係止孔間のほぼ中央にねじ孔が貫設され、前記各係止
孔に対向して該各係止孔の内径よりも外径を小さく設定した一対の係止ピンがメインラッ
クに一体突設されると共に、前記ねじ孔に対向する連通孔がメインラックに貫設され、前
記各係止ピンを各係止孔に嵌入させると共に、前記連通孔を通ってねじ孔にビスをねじ込
むことにより、メインラックがキャリッジに止着され、該メインラックに前後進方向一定
範囲内移動可能に連結されてばねにより前進方向に付勢されるサブラックが設けられ、前
記メインラック及びサブラックからなるダブルラックがフィードモータにより正逆回転さ
れる駆動ピニオンに噛合され、前記サブラックの前端に突設した操作ピンに対向して前記
カムスライダに操作溝が形成されており、アンローディング信号に基づいてフィードモー
タを駆動することにより、駆動ピニオンを正転させてダブルラックを介して光ピックアッ
プを前進させ、その光ピックアップが最前進位置に達した後にサブラックをさらに前進さ
せて、操作ピンを操作溝の内側面に押し付け、その押付力でカムスライダを左右一方向に
スライドさせることによりトラバースシャーシを下動させるようにしたディスク装置にお
いて、前記ビスに対向して前記メインラックにばね板が一体形成されており、そのばね板
をビスの頭部で弾性変位させ、その弾性変位により生じた付勢力でダブルラックを駆動ピ
ニオン側に付勢するようにしたことを特徴とするディスク装置。
【請求項３】
前記ばね板が、前記メインラックに一体突設した前後進方向に沿う縦補強板のビス対向
部分の一側縁とメインラックとの間にスリットを形成すると共に、そのビス対向部分の他
側縁と縦補強板との間に凹部を形成することにより、前記スリットと凹部との間で両端を
縦補強板に一体形成した細幅状部分からなることを特徴とする請求項２に記載のディスク
装置。
【請求項４】
前記ばね板の凹部側の側縁に、ビス側に向かって接近するように傾斜する傾斜面が形成
されていることを特徴とする請求項３に記載のディスク装置。
【発明の詳細な説明】
【技術分野】
【０００１】
本発明は、例えばＤＶＤレコーダやＤＶＤプレーヤなどのディスク装置に関し、特に、
駆動ピニオンとダブルラックとの噛合状態を整合させるようにしたものである。
【背景技術】
【０００２】
従来、ディスク装置の技術として特許文献１などに記載したものがあり、その一例を図
５〜図９に基づいて説明すると、これはＤＶＤレコーダであって、ディスクＤ載置用トレ
イ１を前後進ａ，ｂ可能に支持するローダーシャーシ２が設けられ、光ピックアップ３を
搭載したトラバースシャーシ４の後部が弾性変形可能なゴム製ダンパー５を介してローダ
ーシャーシ２に上下動可能に連結されると共に、該トラバースシャーシ４の前部がダンパ
ー５及び上下動可能なトラバースホルダ（図示せず）を介して前後進ａ，ｂ方向とは直交
する左右方向ｃ，ｄに沿ってスライド可能なカムスライダ６に係合されている。
【０００３】
前記光ピックアップ３が、トラバースシャーシ４上のガイドレール８に前後進ａ，ｂ可
能に配置した金属製キャリッジ３Ａと、該キャリッジ３Ａに固定した対物レンズＯＬ付き
ピックアップ本体３Ｂとを備え、前記キャリッジ３Ａの一側部３ａに一対の係止孔９が前
後進ａ，ｂ方向に沿って所定間隔をおいて貫設されると共に、該一側部３ａの両係止孔９
間のほぼ中央にねじ孔１０が貫設され、各係止孔９に対向する一対の係止ピン１１ａが合
成樹脂製メインラック１１Ａの上面基端部に一体突設されると共に、前記ねじ孔１０に対
向する連通孔１１ｂがメインラック１１Ａに貫設されており、各係止ピン１１ａを各係止
孔９に嵌入させると共に、前記連通孔１１ｂを通ってねじ孔１０にビス１２をねじ込むこ
とにより、メインラック１１Ａがキャリッジ３Ａに止着されている。
【０００４】
図９に示すように、メインラック１１Ａの下面に、前後進ａ，ｂ方向に沿う縦補強板１
１ｃと、メインラック１１Ａの外周縁に沿う周縁板１１ｄと、該周縁板１１ｄから縦補強
板１１ｃまで延びる左右一対の横補強板１１ｅとが一体突設され、その各板１１ｄ〜１１
ｅによりビスねじ込み用空間１３が囲繞されている。
【０００５】
図６〜図８に示すように、メインラック１１Ａの下面に一体突設したフック１４に前後
進ａ，ｂ方向一定範囲内移動可能に連結されてばね１５により前進ａ方向に付勢されるサ
ブラック１１Ｂが設けられ、前記メインラック１１Ａ及びサブラック１１Ｂからなるダブ
ルラック１１がフィードモータ１６によりギア機構１７を介して正逆回転ｅ，ｆされる駆
動ピニオン１８に噛合され、前記サブラック１１Ｂの前端に操作ピン１９が一体突設され
、該操作ピン１９に対向して前記カムスライダ６の下面に一体突設した一対のカム片６ａ
間に操作溝２０が形成され、該操作溝２０の内側面２０ａが前進ａ方向に向かって右方向
ｄに傾斜して延ばされている。
【０００６】
図５中、２１はトラバースシャーシ４の前部に固定したスピンドルモータであって、タ
ーンテーブル２２を高速回転させる。２３はカムスライダ６の一端に形成した切換ラック
であって、該切換ラック２３に対向する従動ピニオン２４がクラッチ機構を介してギア機
構１７に連動連結されている。
【０００７】
上記構成において、図５はプレイモードを示すものであって、トラバースシャーシ４を
上動させることにより、ターンテーブル２２とディスクホルダとでディスクＤを挟持し、
スピンドルモータ２１の駆動によりターンテーブル２２を介してディスクＤを高速回転さ
せ、フィードモータ１６によりギア機構１７を介して駆動ピニオン１８を正逆回転ｅ，ｆ
させることにより、ダブルラック１１を介して光ピックアップ３を前後進ａ，ｂさせ、ピ
ックアップ本体３Ｂの対物レンズＯＬを通してレーザ光をディスクＤに投射し、その反射
光をピックアップ本体３Ｂで受光することにより、そのディスクＤに記録されている映像
情報の再生や録画または消去を行う。
【０００８】
プレイモードでアンローディング信号を受けると、スピンドルモータ２１の駆動を停止
し、フィードモータ１６の駆動によりギア機構１７を介して駆動ピニオン１８を正転ｅさ
せることにより、ダブルラック１１を介して光ピックアップ３を前進ａさせ、光ピックア
ップ３が最前進ａ位置に達したときに、駆動ピニオン１８とメインラック１１Ａとの噛合
を解消してサブラック１１Ｂだけを前進ａさせ、操作ピン１９を操作溝２０内に嵌入させ
（図７仮想線参照）、該操作ピン１９を操作溝２０の内側面２０ａに押し付ける。これに
より、カムスライダ６を左方向ｃ（または右方向ｄ）にスライドさせて、該カムスライダ
６の切換ラック２３を従動ピニオン２４に噛合させる。
【０００９】
続いて、フィードモータ１６によりギア機構１７、従動ピニオン２４及び切換ラック２
３を介してカムスライダ６を左方向ｃ（または右方向ｄ）にスライドさせることにより、
トラバースシャーシ４を下動させ、ターンテーブル２２からトレイ１にディスクＤを受け
渡す。
【００１０】
次に、フィードモータ１６によりギア機構１７を介してトレイ１を前進ａさせ、その最
前進ａ状態のトレイ１からディスクＤを取り出したり、そのトレイ１上に新たなディスク
Ｄを載置した後、ローディング信号に基づいて、上記とは逆の手順でプレイモードに戻さ
れる。
【特許文献１】特開２００５−２５１２５０号公報
【発明の開示】
【発明が解決しようとする課題】
【００１１】
上記従来の構成において、ダブルラック１１を駆動ピニオン１８に安定して噛合させる
ためには、図７に示すように、各係止ピン１１ａの外径ｔと係止孔９の内径Ｔとをほぼ同
一に設定して、該各係止ピン１１ａを各係止孔９に密着状態で嵌入させ、メインラック１
１Ａを光ピックアップ３のキャリッジ３Ａに不測に動かないように取り付けることが好ま
しいが、これでは、キャリッジ３Ａと駆動ピニオン１８との間の間隔αに設計上の寸法誤
差が生じて、例えば駆動ピニオン１８にダブルラック１１が強く押し付けられた場合には
、光ピックアップ３の動作速度が遅くなったり、フィードモータ１６の寿命が過負荷によ
り短くなり、また、例えば駆動ピニオン１８からダブルラック１１が離れ過ぎた場合には
、その歯部どうしが衝突して欠けるおそれがある。
【００１２】
そこで、各係止孔９の内径Ｔを各係止ピン１１ａの外径ｔよりも大きく設定して（ｔ＜
Ｔ）、その各係止孔９と各係止ピン１１ａとの間に隙間βを形成し、その隙間βにより設
計上の寸法誤差を吸収することが行われているが、これでは、ビス１２を締め付けたとき
に、該ビス１２を中心にダブルラック１１が矢印ｋ方向（図７参照）に回って傾くことが
あり、その傾きにより、操作ピン１９が操作溝２０に対して右方向ｄ（または左方向ｄ）
に位置ずれして、駆動ピニオン１８とダブルラック１１との噛合状態が整合せず、これに
よって、操作ピン１９及び操作溝２０を介してカムスライダ６を左右方向ｃ，ｄに所定通
りにスライドせることが困難となり、ローディング動作及びアンローディング動作に支障
が生じることがある。
【００１３】
本発明は、上記従来の欠点に鑑み、駆動ピニオンとダブルラックとの噛合状態を整合さ
せるようにしたディスク装置を提供することを目的としている。
【課題を解決するための手段】
【００１４】
上記目的を達成するため、請求項１に記載の発明は、光ピックアップを搭載したトラバ
ースシャーシの後部がローダーシャーシに上下動可能に連結されると共に、該トラバース
シャーシの前部が前後進方向とは直交する左右方向に沿ってスライド可能なカムスライダ
に係合され、前記光ピックアップが、トラバースシャーシ上に前後進可能に配置したキャ
リッジと、該キャリッジに固定したピックアップ本体とを備え、前記キャリッジの一側部
に一対の係止孔が前後進方向に沿って所定間隔をおいて貫設されると共に、該一側部の両
係止孔間のほぼ中央にねじ孔が貫設され、前記各係止孔に対向して該各係止孔の内径より
も外径を小さく設定した一対の係止ピンがメインラックに一体突設されると共に、前記ね
じ孔に対向する連通孔がメインラックに貫設され、前記各係止ピンを各係止孔に嵌入させ
ると共に、前記連通孔を通ってねじ孔にビスをねじ込むことにより、メインラックがキャ
リッジに止着され、該メインラックに前後進方向一定範囲内移動可能に連結されてばねに
より前進方向に付勢されるサブラックが設けられ、前記メインラック及びサブラックから
なるダブルラックがフィードモータにより正逆回転される駆動ピニオンに噛合され、前記
サブラックの前端に突設した操作ピンに対向して前記カムスライダに操作溝が形成されて
おり、アンローディング信号に基づいてフィードモータを駆動することにより、駆動ピニ
オンを正転させてダブルラックを介して光ピックアップを前進させ、その光ピックアップ
が最前進位置に達した後にサブラックをさらに前進させて、操作ピンを操作溝の内側面に
押し付け、その押付力でカムスライダを左右一方向にスライドさせることによりトラバー
スシャーシを下動させるようにしたディスク装置において、前記メインラックに一体突設
した前後進方向に沿う縦補強板のビス対向部分の一側縁とメインラックとの間にスリット
を形成すると共に、そのビス対向部分の他側縁と縦補強板との間に凹部を形成することに
より、前記スリットと凹部との間で両端を縦補強板に一体形成した細幅のばね板が形成さ
れ、そのばね板の凹部側の側縁に、ビス側に向かって接近するように傾斜する傾斜面が形
成されており、前記ビスの頭部を傾斜面上を通ってばね板の側面に当接させることにより
、該ばね板を弾性変位させ、その弾性変位により生じた付勢力でダブルラックを駆動ピニ
オン側に付勢するようにしたことを特徴としている。
【００１５】
請求項２に記載の発明は、光ピックアップを搭載したトラバースシャーシの後部がロー
ダーシャーシに上下動可能に連結されると共に、該トラバースシャーシの前部が前後進方
向とは直交する左右方向に沿ってスライド可能なカムスライダに係合され、前記光ピック
アップが、トラバースシャーシ上に前後進可能に配置したキャリッジと、該キャリッジに
固定したピックアップ本体とを備え、前記キャリッジの一側部に一対の係止孔が前後進方
向に沿って所定間隔をおいて貫設されると共に、該一側部の両係止孔間のほぼ中央にねじ
孔が貫設され、前記各係止孔に対向して該各係止孔の内径よりも外径を小さく設定した一
対の係止ピンがメインラックに一体突設されると共に、前記ねじ孔に対向する連通孔がメ
インラックに貫設され、前記各係止ピンを各係止孔に嵌入させると共に、前記連通孔を通
ってねじ孔にビスをねじ込むことにより、メインラックがキャリッジに止着され、該メイ
ンラックに前後進方向一定範囲内移動可能に連結されてばねにより前進方向に付勢される
サブラックが設けられ、前記メインラック及びサブラックからなるダブルラックがフィー
ドモータにより正逆回転される駆動ピニオンに噛合され、前記サブラックの前端に突設し
た操作ピンに対向して前記カムスライダに操作溝が形成されており、アンローディング信
号に基づいてフィードモータを駆動することにより、駆動ピニオンを正転させてダブルラ
ックを介して光ピックアップを前進させ、その光ピックアップが最前進位置に達した後に
サブラックをさらに前進させて、操作ピンを操作溝の内側面に押し付け、その押付力でカ
ムスライダを左右一方向にスライドさせることによりトラバースシャーシを下動させるよ
うにしたディスク装置において、前記ビスに対向して前記メインラックにばね板が一体形
成されており、そのばね板をビスの頭部で弾性変位させ、その弾性変位により生じた付勢
力でダブルラックを駆動ピニオン側に付勢するようにしたことを特徴としている。
【００１６】
請求項３に記載の発明は、請求項２に記載の発明において、前記ばね板が、前記メイン
ラックに一体突設した前後進方向に沿う縦補強板のビス対向部分の一側縁とメインラック
との間にスリットを形成すると共に、そのビス対向部分の他側縁と縦補強板との間に凹部
を形成することにより、前記スリットと凹部との間で両端を縦補強板に一体形成した細幅
状部分からなることを特徴としている。
【００１７】
請求項４に記載の発明は、請求項３に記載の発明において、前記ばね板の凹部側の側縁
に、ビス側に向かって接近するように傾斜する傾斜面が形成されていることを特徴として
いる。
【発明の効果】
【００１８】
請求項１に記載の発明は実施の一形態（図１〜図４参照）に対応するものであって、こ
れによれば、メインラックを光ピックアップのキャリッジの一側部に止着するビスの頭部
で該メインラックに一体形成したばね板を弾性変位させ、その弾性変位により生じた付勢
力でメインラックを駆動ピニオン側に付勢するようになっているから、メインラックの各
係止ピンとそれが嵌入するキャリッジの各係止孔との間に隙間があっても、メインラック
を従来のようにビス回りで傾かないようにして、該メインラックを左右方向に沿って駆動
ピニオン側に水平移動させてキャリッジに所定通りに取り付けることができる。従って、
メインラック及びサブラックからなるダブルラックと駆動ピニオンとの噛合状態を整合さ
せ、サブラックの先端の操作ピンをカムスライダの操作溝に対して適正に位置決めするこ
とができ、これによって、その操作ピン及び操作溝を介してカムスライダを所定通りにス
ライドさせ、ローディング及びアンローディングの動作を適正に行わせることができる。
【００１９】
また、前記各係止ピンと係止孔との間に形成した隙間でキャリッジと駆動ピニオンとの
間の間隔の設計上の寸法誤差を吸収するため、駆動ピニオンにダブルラックを強く押し付
け過ぎることがなくなり、光ピックアップを高速動作させることができると共に、フィー
ドモータに過負荷がかからないようにしてその寿命を大幅に延ばすことができ、しかも、
駆動ピニオンからダブルラックが離れ過ぎて、その歯部どうしが衝突して欠けるというお
それも解消することができる。
【００２０】
更に、前記ばね板が縦補強板に一体形成された細幅状部分からなり弾性変位可能に形成
されているから、該ばね板にビスの頭部を押し付けるだけで、そのばね板を容易に弾性変
位させて所望の付勢力を発生させることができる。
【００２１】
また更に、ばね板が縦補強板の一部を兼ねているから、その兼ねている分だけ構造が簡
単になり、部品点数が増加せず、経済性に優れている。
【００２２】
前記ばね板の凹部側の側縁に傾斜面が形成されているから、その傾斜面に沿ってビスの
頭部をばね板の側面に対向する位置まで円滑に移行させることができる。
【００２３】
請求項２に記載の発明は基本形態に対応するものであって、これによれば、メインラッ
クを光ピックアップのキャリッジの一側部に止着するビスの頭部で該メインラックに一体
形成したばね板を弾性変位させ、その弾性変位により生じた付勢力でメインラックを駆動
ピニオン側に付勢するようになっているから、メインラックの各係止ピンとそれが嵌入す
るキャリッジの各係止孔との間に隙間があっても、メインラックを従来のようにビス回り
で傾かないようにして、該メインラックを左右方向に沿って駆動ピニオン側に水平移動さ
せてキャリッジに所定通りに取り付けることができる。従って、メインラック及びサブラ
ックからなるダブルラックと駆動ピニオンとの噛合状態を整合させ、サブラックの先端の
操作ピンをカムスライダの操作溝に対して適正に位置決めすることができ、これによって
、その操作ピン及び操作溝を介してカムスライダを所定通りにスライドさせ、ローディン
グ及びアンローディングの動作を適正に行わせることができる。
【００２４】
また、前記各係止ピンと係止孔との間に形成した隙間でキャリッジと駆動ピニオンとの
間の間隔の設計上の寸法誤差を吸収するため、駆動ピニオンにダブルラックを強く押し付
け過ぎることがなくなり、光ピックアップを高速動作させることができると共に、フィー
ドモータに過負荷がかからないようにしてその寿命を大幅に延ばすことができ、しかも、
駆動ピニオンからダブルラックが離れ過ぎて、その歯部どうしが衝突して欠けるというお
それも解消することができる。
【００２５】
請求項３に記載の発明によれば、ばね板が縦補強板に一体形成された細幅状部分からな
り弾性変位可能に形成されているから、該ばね板にビスの頭部を押し付けるだけで、その
ばね板を容易に弾性変位させて所望の付勢力を発生させることができる。
【００２６】
また、ばね板が縦補強板の一部を兼ねているから、その兼ねている分だけ構造が簡単に
なり、部品点数が増加せず、経済性に優れている。
【００２７】
請求項４に記載の発明によれば、ばね板の凹部側の側縁に傾斜面が形成されているから
、その傾斜面に沿ってビスの頭部をばね板の側面に対向する位置まで円滑に移行させるこ
とができる。
【発明を実施するための最良の形態】
【００２８】
図１〜図４は本発明の実施の一形態であるＤＶＤレコーダ（ディスク装置）の要部を示
すものであって、メインラック１１Ａに一体突設した前後進ａ，ｂ方向に沿う縦補強板１
１ｃのビス対向部分の一側縁とメインラック１１Ａとの間にスリット２６を形成すると共
に、そのビス対向部分の他側縁と縦補強板１１ｃとの間に凹部２７を形成することにより
、前記スリット２６と凹部２７との間で両端を縦補強板１１ｃに一体形成した細幅ｈのば
ね板２８が形成され、そのばね板２８の凹部２７側の側縁に、ビス１２側に向かって接近
するように傾斜する傾斜面２８ａが形成されている。また、図４（ａ）に示すように、前
記ビス１２として、その頭部１２ａの半径Ｍが連通孔１１ｂの中心Ｏからばね板２８まで
の間隔ｍよりも大きいものが用いられている。上記以外の構成は図５〜図９に示す構成と
ほぼ同じであるから、同一部分に同一符号を付してその説明を省略する。
【００２９】
メインラック１１Ａの取付手順を説明すると、各係止ピン１１ａを各係止孔９に嵌入さ
せると共に、図４（ａ）に示すように、連通孔１１ｂを通ってねじ孔１０にビス１２をね
じ込むことにより、図４（ｂ）に示すように、ビス１２の頭部１２ａが傾斜面２８ａ上を
滑ってばね板２８の側面に当接され、該頭部１２ａによりばね板２８を弾性変位させ、そ
の弾性変位により生じた付勢力Ｆでダブルラック１１を駆動ピニオン１８側に付勢し、メ
インラック１１Ａをキャリッジ３Ａの一側部３ａに止着する。
【００３０】
上記構成によるプレイモードやアンローディング及びローディングの動作は図１〜図５
に示す従来例とほぼ同じであるから、その説明を省略する。
【００３１】
上記構成によれば、図４に示すように、メインラック１１Ａを光ピックアップ３のキャ
リッジ３Ａの一側部３ａに止着するビス１２の頭部１２ａで該メインラック１１Ａに一体
形成したばね板２８を弾性変位させ、その弾性変位により生じた付勢力Ｆでメインラック
１１Ａを駆動ピニオン１８側に付勢するようになっているから、メインラック１１Ａの各
係止ピン１１ａとそれが嵌入するキャリッジ３Ａの各係止孔９との間に隙間βがあっても
、メインラック１１Ａを従来のようにビス１２回りで傾かないようにして（図７の矢印ｋ
参照）、該メインラック１１Ａを左右方向ｃ，ｄに沿って駆動ピニオン１８側に水平移動
させてキャリッジ３Ａに所定通りに取り付けることができる。従って、図１に示すように
、メインラック１１Ａ及びサブラック１１Ｂからなるダブルラック１１と駆動ピニオン１
８との噛合状態を整合させ、サブラック１１Ｂの先端の操作ピン１９をカムスライダ６の
操作溝２０に対して適正に位置決めすることができ、これによって、その操作ピン１９及
び操作溝２０を介してカムスライダ６を左右方向ｃ，ｄに所定通りにスライドさせ、ロー
ディング及びアンローディングの動作を適正に行わせることができる。
【００３２】
また、図１に示すように、前記各係止ピン１１ａと係止孔９との間に形成した隙間βで
キャリッジ３Ａと駆動ピニオン１８との間の間隔αの設計上の寸法誤差を吸収するため、
駆動ピニオン１８にダブルラック１１を強く押し付け過ぎることがなくなり、光ピックア
ップ３を高速動作させることができると共に、フィードモータ１６に過負荷がかからない
ようにしてその寿命を大幅に延ばすことができ（図５参照）、しかも、駆動ピニオン１８
からダブルラック１１が離れ過ぎて、その歯部どうしが衝突して欠けるというおそれも解
消することができる。
【００３３】
図３に示すように、ばね板２８が縦補強板１１ｃに一体形成された細幅状部分からなり
弾性変位可能に形成されているから、該ばね板２８にビス１２の頭部１２ａを押し付ける
だけで、そのばね板２８を容易に弾性変位させて所望の付勢力Ｆを発生させることができ
る。
【００３４】
図２に示すように、ばね板２８が縦補強板１１ｃの一部を兼ねているから、その兼ねて
いる分だけ構造が簡単になり、部品点数が増加せず、経済性に優れている。
【００３５】
図４に示すように、ばね板２８の凹部２７側の側縁に傾斜面２８ａが形成されているか
ら、その傾斜面２８ａに沿ってビス１２の頭部１２ａをばね板２８の側面に対向する位置
まで円滑に移行させることができる。
【産業上の利用可能性】
【００３６】
上記実施の形態では、ＤＶＤレコーダを例にあげて説明したが、これに限定されるわけ
ではなく、例えばＤＶＤプレーヤなどの各種のディスク装置にも適用される。
【図面の簡単な説明】
【００３７】
【図１】本発明の実施の一形態であるＤＶＤレコーダの要部の平面図である。
【図２】（ａ）は図１のＡ−Ａ矢視図、（ｂ）はＢ−Ｂ矢視図、（ｃ）はＣ−Ｃ矢視図である。
【図３】同要部の斜視図である。
【図４】（ａ）はビスのねじ込み途中状態の拡大縦断面図、（ｂ）は同ビスのねじ込み完了状態の拡大縦断面図である。
【図５】従来例を示す平面図である。
【図６】同要部の分解斜視図である。
【図７】同要部の平面図である。
【図８】（ａ）は図７のＥ−Ｅ矢視図、（ｂ）はＦ−Ｆ矢視図、（ｃ）はＧ−Ｇ矢視図である。
【図９】同要部の斜視図である。
【符号の説明】
【００３８】
２            ローダーシャーシ
３            光ピックアップ
３Ａ          キャリッジ
３Ｂ          ピックアップ本体
４            トラバースシャーシ
９            係止孔
１０          ねじ孔
１１          ダブルラック
１１Ａ        メインラック
１１Ｂ        サブラック
１１ａ        係止ピン
１１ｂ        連通孔
１１ｃ        縦補強板
１２          ビス
１２ａ        ビスの頭部
１６          フィードモータ
１８          駆動ピニオン
１９          操作ピン
２０          操作溝
２６          スリット
２７          凹部
２８          ばね板
２８ａ        ばね板の傾斜面
ａ，ｂ        前後進
ｃ，ｄ        左右方向
ｔ            係止ピンの外径
Ｔ            係止孔の内径
【図１】
2007200397.tif 000003
【図２】
2007200397.tif 000004
【図３】
2007200397.tif 000005
【図４】
2007200397.tif 000006
【図５】
2007200397.tif 000007
【図６】
2007200397.tif 000008
【図７】
2007200397.tif 000009
【図８】
2007200397.tif 000010
【図９】
2007200397.tif 000011